(57)【特許請求の範囲】
【請求項１】
本体に取り付けられる縦長の固定部材と、該本体に開閉可能な扉に取付られる縦長の可動部材とからなる着脱形の蝶番において、
該可動部材の基枠体内の上部と下部に、各々軸受孔を持つ軸受部材が軸心位置を１本の軸線上に一致させて固定され、該固定部材の取付板部における上部と下部の縁部に、各々巻付部にピンを上向きに挿入・固定した軸保持部が軸心位置を１本の軸線上に一致させて固定され、該可動部材の軸受孔に該軸保持部のピンを嵌入した状態で、該可動部材の上方への移動を阻止するためのストッパ部材が該可動部材内の該軸保持部の下側位置に進退移動可能に設けられ、該ストッパ部材は、該ピンの軸と直角方向に移動可能に配設され、該ストッパ部材を進入側に付勢するばねが設けられ、該ストッパ部材を退出位置で係止する係止部材が回動可能に軸支され、扉の閉鎖時、該係止部材が前記固定部材の一部に当り回動した際に、該係止部材がストッパ部材の係止を外し、該ストッパ部材が該ばねの付勢力により該軸保持部の下側位置に進入し、該可動部材の上方への移動を阻止することを特徴とする蝶番。
【請求項２】
本体に取り付けられる縦長の固定部材と、該本体に開閉可能な扉に取付られる縦長の可動部材とからなる着脱形の蝶番において、
該可動部材の基枠体内の上部と下部に、各々軸受孔を持つ軸受部材が軸心位置を１本の軸線上に一致させて固定され、該固定部材の取付板部における上部と下部の縁部に、各々巻付部にピンを上向きに挿入・固定した軸保持部が軸心位置を１本の軸線上に一致させて固定され、該ピンの先端付近の外周部に環状溝が形成され、該ピンが前記軸受孔に嵌入した際、該環状溝に係合して該ピンの該軸受孔からの抜けを防止する弾性係止片が該軸受部材に設けられ、該固定部材に該可動部材を組み付ける際、下側から該軸受孔に挿入される該ピンの頭部が該弾性係止片の先端係止部を押し上げて通過したとき、該先端係止部が元の位置に戻って該環状溝に係止されることを特徴とする蝶番。
【発明の詳細な説明】
【０００１】
【発明の属する技術分野】
本発明は、扉を本体に対し開閉自在に支持する着脱形（ピン挿入形）の蝶番に関する。
【０００２】
【従来の技術】
従来、例えばスロットマシンの扉を開閉自在に支持する蝶番として、固定部材と可動部材とからなり、固定部材の取付板部の縁部に軸受部が設けられ、可動部材の巻付部にピンが下方に突出して固定され、そのピンを固定部材側の軸受孔に挿入して組み付ける構造の着脱形の蝶番が知られている。この蝶番は、通常、ゲーム機の形状が大きいこともあって、本体と前扉間の上部と下部の２箇所に取り付けられる。
【０００３】
スロットマシン等の重量の重い扉の開閉を円滑にするためには、その本体と前扉間に装着される２個の蝶番の回転軸の軸心位置を正確に合わせて取り付ける必要がある。従って、上記のように２個の蝶番を本体と前扉間に取り付ける場合、本体側に２個の固定部材をその軸受部の軸心位置を合わせて固定すると共に、前扉側の対応位置に２個の可動部材をそのピンの軸心位置を正確に合わせて、固定しなければならず、蝶番の取付け作業が難しく煩雑で、多くの時間や工数を必要とする問題があった。
【０００４】
【発明が解決しようとする課題】
そこで、本発明者らは、特開平１０−２０１９２２号公報において、縦長の固定部材と可動部材とからなる蝶番であって、固定部材の取付板部における上部と下部の縁部に、各々軸受孔を持つ軸受部が軸心位置を１本の軸線上に一致させて設けられ、可動部材の取付板部における上部と下部の縁部に形成した巻付部に、各々ピンが軸心位置を１本の軸線上に一致させ且つ下方に突出して固定され、両ピンを固定部材の各軸受部に挿入して組み付けるようにした蝶番を提案した。
【０００５】
この蝶番は、可動部材を固定してる扉を開いた状態で、可動部材のピンを固定部材の軸受部に挿入して組み付け、扉を閉じた状態では、扉の一部または蝶番の可動部材の一部が本体側の一部または固定部材側の一部の真上に位置するようにして、扉を閉鎖した状態では、蝶番の可動部材つまり扉を本体から持ち上げて外れない構造としている。
【０００６】
しかし、扉を開いた状態では、蝶番の可動部材を固定部材から上に持ち上げることが可能で、可動部材を簡単に外すことができることから、蝶番を組み付けた後は、扉の開放・閉鎖時共に、可動部材が固定部材から簡単に外れず、不用意に扉が本体から外されない構造の蝶番が要望されていた。
【０００７】
本発明は、上記の点に鑑みてなされたもので、着脱形の蝶番であっても、開放・閉鎖時共に、可動部材の固定部材からの外れを防止し、不用意に扉が本体から外されることを防止できる蝶番を提供することを目的とする。
【０００８】
【課題を解決するための手段】
上記目的を達成するための本発明の請求項１の蝶番は、本体に取り付けられる縦長の固定部材と、該本体に開閉可能な扉に取付られる縦長の可動部材とからなる着脱形の蝶番において、該可動部材の基枠体内の上部と下部に、各々軸受孔を持つ軸受部材が軸心位置を１本の軸線上に一致させて固定され、該固定部材の取付板部における上部と下部の縁部に、各々巻付部にピンを上向きに挿入・固定した軸保持部が軸心位置を１本の軸線上に一致させて固定され、該可動部材の軸受孔に該軸保持部のピンを嵌入した状態で、該可動部材の上方への移動を阻止するためのストッパ部材が該可動部材内の該軸保持部の下側位置に進退移動可能に設けられ、該ストッパ部材は、該ピンの軸と直角方向に移動可能に配設され、該ストッパ部材を進入側に付勢するばねが設けられ、該ストッパ部材を退出位置で係止する係止部材が回動可能に軸支され、扉の閉鎖時、該係止部材が前記固定部材の一部に当り回動した際に、該係止部材がストッパ部材の係止を外し、該ストッパ部材が該ばねの付勢力により該軸保持部の下側位置に進入し、該可動部材の上方への移動を阻止することを特徴とする。
【０００９】
【作用】
このように構成される蝶番は、可動部材を取り付けた扉を、固定部材を取り付けた本体に組み付ける場合、扉を持って、扉側の可動部材に設けた軸受部材の軸受孔を、本体側の固定部材に設けた軸保持部のピンに嵌めるように操作する。このとき、上下の軸受部材がその軸心位置を１本の軸線上に一致させて固定され、上下の軸保持部がその軸心位置を１本の軸線上に一致させて固定されるため、固定側の軸保持部のピンを可動側の軸受部材の軸受孔に容易にはめ入れ、蝶番を組み付けることができる。この状態で、ストッパ部材を可動部材内の軸保持部の下側位置に進入させる。これにより、固定部材に対し可動部材を持ち上げようとすると、ストッパ部材が固定部材側の軸保持部に当り、可動部材の持ち上げを阻止するため、可動部材を固定部材から外すことができず、蝶番を組み付けた後は、扉を開いた状態であっても、可動部材が固定部材から外れず、不用意に扉が本体から外れることを防止できる。
【００１０】
【発明の実施の形態】
以下、本発明の実施の形態を図面に基づいて説明する。図１は蝶番の可動部材１の平面図と正面図を示し、図２はその左側面図を、図３はその右側面図を示している。可動部材１は、帯状の鋼板を断面略コ字状に曲折してなる縦長の基枠体２を有し、その基枠体２の内側の上部と下部に、軸受部３ａ，４ａを有する軸受部材３、４を、かしめ加工等により固定して構成される。
【００１１】
基枠体２は、正面側を開口した断面略コ字状のチャンネル材状に形成されると共に、図２に示すように、その左側壁の上部と下部に幅広部が形成され、その上部と下部の幅広部の内側に軸受部材３、４が固定される。軸受部材３、４は、同じ形状を持った略箱形に形成されて基枠体２内に固定され、図６、図９に示すように、その上板部分に設けた軸受部３ａ，４ａに軸受孔３ｂ，４ｂが形成される。軸受孔３ｂ，４ｂは基枠体２の左側壁に近い位置の軸受部３ａ，４ａ上に形成されるため、基枠体の左側壁には、図２に示すような矩形の開口部２ａが形成され、そこに軸受部材３、４の一部である折り曲げ部３ｃ，４ｃが外側に突出して設けられ、これによって、後述の固定部材１１側の軸保持部１３、１４の収納スペースを確保している。
【００１２】
横断面をコ字状に形成された基枠体２の右側壁は、この可動部材１をゲーム機の前扉２１に取り付けて使用した場合、その本体２０との間の隙間を塞ぐ作用をする隙間閉塞部２ｂとして形成される。基枠体２は、その左側面を固定ねじによりゲーム機の前扉２１内に固定して取り付けられるが、前扉の縦寸法に対応した縦長に形成され、断面コ字状のチャンネル材に類似した形状に形成することにより、大きな曲げ強度を有し、前扉２１を補強することができる。
【００１３】
図３の左側面図、図６、７の断面図、図１０の斜視図に示すように、軸受部材３、４は、略矩形の箱形で同様な形状に形成され、基枠体２内の上部と下部の所定箇所に固定される。軸受部材３、４には、その上板部分の軸受部３ａ，４ａに軸受孔３ｂ，４ｂが形成されるが、後述の固定部材１１側のピン１３ｂ，１４ｂをその軸受孔３ｂ，４ｂに挿入し易くするために、その内部にガイド部材５、６が設けられる。このガイド部材５、６は、軸受部３ａ，４ａの下方位置に設けられ、且つ、軸受部材３、４の一部を内側に曲折した水平板部５ａ，６ａに、前方広がりに開口するガイド凹部５ｂ，６ｂを設けて形成される。ガイド凹部５ｂ，６ｂの元部中央は軸受孔３ｂ，４ｂの軸線位置を合わせて形成され、後述のピン１３ｂ，１４ｂの巻付部１３ａ，１４ａを軸線位置にガイドする。
【００１４】
さらに、軸受部材３の外側にはストッパ部材８が、ピン１３ｂの軸受孔３ｂからの抜けを阻止するために、ブラケット７を介して取り付けられる。図８に示すように、ブラケット７は上部を内側に曲げた上ガイド部７ａと、下部を内側に曲げた下ガイド部７ｂと、そこから上方に曲折された取付部７ｃを有して形成される。取付部７ｃには取付孔が設けられ、ブラケット７はその取付孔に取付ねじ７ｄを差し込んで、軸受部材３の側面近傍に、取り付けられる。
【００１５】
そして、ストッパ部材８がそのブラケット７の上ガイド部７ａと下ガイド部７ｂとの間に、前後に摺動可能に装着され、ストッパ部材８の先端は、後述の軸保持部１３のピン１３ｂを軸受部材３に嵌合させた際、ピン１３ｂの抜け防止のために、ピンの巻付部１３の下端近傍に進入する。ストッパ部材８は、内側に横方向の凹部８ａを設けており、その中にコイルばね８ｄが挿入され、その前面側には長孔８ｂが凹部８ａに沿って形成され、取付ピン８ｅがその長孔８ｂから凹部８ａに差し込まれ、取付ピン８ｅの先端はブラケット７の側面に固定される。ストッパ部材８の末端下部には後述の係止部材９の係止部９ｂが係止される係止凸部８ｃが突設される。
【００１６】
コイルばね８ｄは、凹部８ａ内で取付ピン８ｅとストッパ部材８の先端側との間でばね力を作用させ、ストッパ部材８を前進側つまりその先端を軸保持部１３のピン１３ｂの下部に差し込む方向に付勢している。さらに、このストッパ部材８の進入を組み付け時に一時的に停止しておくための係止部材９が回動可能に軸９ｃにより支持される。係止部材９は略Ｌ字形のレバー状に形成され、その中央の軸孔９ａに軸９ｃが挿入され、ブラケット７の底部に軸９ｃの先端を固定し、捩りばね９ｄを装着する。
【００１７】
係止部材９の末端には、ストッパ部材８の端部に係止される直角状の係止部９ｂが設けられ、軸保持部１３のピン１３ｂの下部位置から外れた手前の位置に、その係止部９ｂをストッパ部材８の係止凸部８ｃに係止して止めておく。捩りばね９ｄは軸９ｃの周囲に巻回され係止部材９を係止方向に付勢する。この係止部材９は、この可動部材１を固定部材１１に対し、閉じる際、固定部材１１の縁部に当接し、捩りばね９ｄの付勢力に抗して平面視で時計方向に回動される。
【００１８】
ところで、ストッパ部材８の先端には前方に向けて傾斜するテーパ部８ｆが図６、図７のように設けられる。このテーパ部８ｆは、蝶番の組み付け時に、ストッパ部材８が係止部材９によって退出位置に保持されておらず、コイルばね８ｄの力で軸受孔３ｂの下方に入っている場合でも、固定部材１１のピン１３ｂの巻付部１３ａがその位置に進入した時、ストッパ部材８のテーパ部８ｆを押してこれを押し戻し、固定部材１１のピン１３ｂを軸受孔３ｂの位置まで進入できるようにしている。
【００１９】
図４、図５に示すように、固定部材１１は、縦長で帯状の鋼板を取付板部１２として有し、取付板部１２の縁部が小幅で略直角に曲折された部分の上部と下部に、同じ形状の軸保持部１３、１４が突設され、取付板部１２の適所に複数の取付孔１２ａが設けられる。軸保持部１３、１４は、図５に示すように、先端に巻付部１３ａ，１４ａを前方に突出するように設け、その巻付部１３ａ，１４ａにピン１３ｂ，１４ｂを各々上向きに嵌挿・固定して構成される。
【００２０】
巻付部１３ａ，１４ａはコ字状に曲折した突設部分を筒状に成形し、内側に頭部付きのピン１３ｂ，１４ｂを巻付部に圧入し或は締付けすることにより、ピン１３ｂ，１４ｂを巻付部１３ａ，１４ａにその先端を上方に突出した状態で固定する。上下のピン１３ｂ，１４ｂは、その軸が取付板部１２の長手方向に沿った１本の軸線上を通るように、軸心位置を合わせて取り付けられる。ピン１３ｂ，１４ｂの先端（上端）は尖頭形状に形成される。
【００２１】
また、上下のピン１３ｂ，１４ｂは、上記可動部材１の軸受部材３、４の軸受孔３ｂ、４ｂに対応した位置つまり軸心位置を合わせた所定位置に取り付けられる。さらに、軸保持部１３、１４の少し上方位置に、取付板部１２から正面側に突き出す形態で、係止部１５、１６が突設される。
【００２２】
このように構成された蝶番は、図１０に示すように、その固定部材１１がゲーム機の本体（キャビネット）２０側に、取付板部１２の取付孔１２ａに取付ねじを挿入して締め付けることにより固定され、その可動部材１がゲーム機の前扉２１側の固定部材１１と対応した位置に、その基枠体２を取付ねじにより締め付けて取り付けられる。図１２に示すように、固定部材１１は、本体２０の開口部の縦辺の長さと略同じ長さに形成され、本体２０の内側縦辺の略全体に渡って取り付けられる。また、可動部材１は前扉２１の内側縦辺の長さと略同じ長さに形成され、前扉２１の内側縦辺の縁部に取り付けられる。
【００２３】
そして図９、図１０に示す如く、前扉２１を開いた状態で、蝶番の可動部材１の上下の軸受部３ａ、４ａを固定部材１１の上下のピン１３ｂ，１４ｂに嵌合して、前扉２１を本体２０に対し装着する。この際、前扉２１を持って先ず上下の軸受部材３、４を固定部材１１側の軸保持部１３、１４に合わせ、図１０のように、軸受部材３、４内のガイド部材５、６を、固定部材側の軸保持部１３、１４の巻付部１３ａ，１４ａに当てるように、箱形の軸受部材３、４を軸保持部１３、１４に被せるごとく、前扉２１を動かす。
【００２４】
このとき、上下のガイド部材５、６が上下の巻付部１３ａ，１４ａに当り、さらに前扉２１を押し込むように動かすと、ガイド部材５、６の前方広がり状のガイド凹部５ｂ，６ｂによって、巻付部１３ａ，１４ａつまりピン１３ｂ，１４ｂが軸受孔３ｂ，４ｂの軸線位置にガイドされ、到達する。従って、この状態で、前扉２１の位置を少し下げれば、自動的にピン１３ｂ，１４ｂが軸受孔３ｂ，４ｂ内に進入する。これにより、上下の軸保持部１３、１４のピン１３ｂ，１４ｂは、軸受部材３、４の軸受孔３ｂ，４ｂに嵌入し、蝶番の可動部材１と固定部材１１の組付を完了する。
【００２５】
次に、前扉２１を本体２０に対し閉じると、図１１、１２に示すように、可動部材１が固定部材１１に対しピン１３ｂを軸に回動し、前扉２１が本体２０との開き角度約１２°まで閉じられた時、係止部材９が固定部材１１の立ち上がり縁部に当たる。そしてさらに、前扉２１が閉じる方向に回動することにより、係止部材９が図１１の時計方向に（図１２の反時計方向に）回動され、このとき、係止部材９の末端の係止部９ｂがストッパ部材８の係止凸部８ｃから外れ、ストッパ部材８は、コイルばね８ｄの付勢力によって軸受部材３内に進入する。そして、ストッパ部材８の先端が軸保持部１３のピン１３ｂの末端の下までに進入し、これによって、軸受部材３とストッパ部材８の間に軸保持部１３が挟まれた状態となり、可動部材１つまり前扉２１の上方への移動が阻止され、可動部材１つまり前扉２１が不用意に外されることが防止される。
【００２６】
このように、蝶番の固定部材１１と可動部材１の組み付け作業は、ガイド部材５、６がピン１３ｂ，１４ｂの巻付部１３ａ，１４ａに作用してピンの軸線位置上に軸受孔の軸線位置を合わせるため、非常に簡単に且つ短時間でピン１３ｂ，１４ｂを軸受孔３ｂ，４ｂにはめ込むことができ、蝶番の組み付けを完了することができる。また、巻付部１３ａ，１４ａは、ピンと比べて外径が太く、ガイド部材５、６をそこに当て易いため、ピンを直接ガイドする場合より容易にガイドして軸線を合わせることができる。
【００２７】
さらに、ピン１３ｂが軸受孔３ｂ内に嵌入した後、可動部材１を固定部材１１に対し閉じると、ストッパ部材８が自動的に軸受部材３内に進入し、軸保持部１３の真下に位置して可動部材１の上移動を阻止する状態となり、その後、前扉２１が開いた状態であっても、不用意に可動部材１が固定部材１１側よりつまり前扉２１が本体２０より外れることを防止することができる。
【００２８】
ゲーム機の前扉２１の前面には装飾部材が取り付けられるが、扉２１の開放時に、この装飾部材の縁部が本体２０側に干渉しないようにするために、本体２０と前扉２１の間には、図１１のように多少の隙間が作られて、固定部材１１と可動部材１が連結される。しかしながら、この固定部材１１と可動部材１の隙間を内側から塞ぐように、可動部材１の基枠体２の隙間閉塞部２ｂが配置されるため、図１１のように、前扉２１を閉鎖した際、本体２０と前扉２１との間に隙間が生じたとしても、その内側に隙間閉塞部２ｂが配置され、隙間から異物を挿入する等の不正行為を防止することができる。
【００２９】
また、この蝶番を取り付けたゲーム機では、前扉２１を閉鎖した時、固定部材１１の軸保持部１３、１４の上方の係止部１５、１６が可動部材１側の軸受部材３、４上に進入するため、可動部材１の上下動、特に蝶番を外す方向の上移動が阻止され、扉２１の閉鎖時に蝶番が不正に外される不具合は防止される。
【００３０】
図１４、図１５は他の実施例を示し、この実施例では、軸受部材３と軸保持部１３の外れを防止するために、ブラケット７、ストッパ部材８及び係止部材９に代えて、弾性係止片３７が設けられる。弾性係止片３７は、図１４に示すように、弾性板をＬ字形に曲げて形成され、ピン１３ｂの軸受孔３ｂからの抜けを防止するために、軸受部材３の左側壁から上壁に、その下部を軸受部材３の左側壁にねじ止めして、上部を前後に弾性変形可能に取り付けられる。
【００３１】
固定部材１１側のピン１３ｂの先端付近外周部には、環状溝１３ｃが形成される。弾性係止片３７は、下側から挿入されるピン１３ｂの頭部が弾性係止片７の先端係止部を押しあげて通過すると、弾性係止片３７のもつばね弾性により、元に戻り、先端係止部がピンの環状溝１３ｃに進入して係止される。弾性係止片としては、金属弾性板（板ばね）の他にばね線を使用することもできる。
【００３２】
このような弾性係止片３７の取付により、軸受部材３の軸受部３ａに軸保持部１３のピン１３ｂを嵌合させたとき、ピン１３ｂの環状溝１３ｃに弾性係止片３７の先端が嵌入し、ピン１３ｂの軸受孔３ｂからの抜けを防止するから、不用意に可動部材１が固定部材１１側より、つまり前扉２１が本体２０より外れることを防止することができる。
【００３３】
なお、本発明の蝶番は、上記実施形態に限定されるものではなく、以下のような態様でも実施することができる。
【００３４】
▲１▼  上記では可動部材１側に軸受孔３ｂ，４ｂを有する軸受部材３、４を設け、固定部材１１側にピン１３ｂ，１４ｂを有する軸保持部１３、１４を設けたが、逆に、固定部材側に軸受孔を有する軸受部材を固定し、可動部材側にピンを有する軸保持部を固定してもよく、その場合、可動部材側のピンは下向きに取り付けられ、上側から軸受部材の軸受孔に挿入する。
【００３５】
▲２▼  上記ではストッパ部材８をコイルばね８ｄと係止部材９の係止解除の動作により、軸受部材内の軸保持部の真下に進入させ、可動部材の外れ方向への移動を阻止したが、ストッパ部材８を手動操作により軸受部材内の軸保持部の真下に進入させ、可動部材の外れ防止を行なうようにしてもよい。
【００３６】
▲３▼  また、上記では上側の軸受部材３に、ブラケット７を介してストッパ部材８、係止部材９を設けたが、下側の軸受部材４にこれらを設けることもできる。また、弾性係止片３７の例についても、上側のピン１３ｂに環状溝１３ｃを設け、上側の軸受部材３に弾性係止片３７を設けたが、下側のピンに環状溝を設け、下側の軸受部材４に弾性係止片を設けてもよい。
【００３７】
【発明の効果】
以上のように、本発明の請求項１の蝶番によれば、可動部材を固定部材に組み付けた状態で、ストッパ部材を可動部材内の軸保持部の下側位置に進入させて可動部材の上側の移動を阻止できるから、固定部材に対し可動部材を持ち上げようとすると、ストッパ部材が固定部材側の軸保持部に当り、可動部材の持ち上げを阻止し、可動部材を固定部材から外すことができず、蝶番を組み付けた後は、扉を開いた状態であっても、可動部材が固定部材から外れず、不用意に扉が本体から外れることを防止できる。
【００３８】
また、請求項２の蝶番によれば、可動部材を固定部材に組み付けた状態で、扉を閉鎖すると、係止部材が固定部材の一部に当り回動した際に、係止部材がストッパ部材の係止を外し、ストッパ部材がばねの付勢力により軸保持部の下側位置に進入し、可動部材の上方への移動を阻止するから、蝶番を組み付けた後、自動的に可動部材つまり扉の外れを防止することができる。
【００３９】
また、請求項３の蝶番によれば、ピンが軸受孔に嵌入した際、軸受部材に設けた弾性係止片が、ピンの環状溝に係合してピンの軸受孔からの抜けを防止するから、組み付けた後は可動部材を固定部材から外すことができず、扉を開いた状態であっても、可動部材が固定部材から外れず、不用意に扉が本体から外れることを防止できる。
【図面の簡単な説明】
【図１】本発明の蝶番の一実施形態を示し、（ａ）は蝶番の可動部材１の平面図、（ｂ）はその正面図である。
【図２】可動部材１の左側面図である。
【図３】可動部材の右側面図である。
【図４】（ａ）は蝶番の固定部材１１の平面図、（ｂ）はその正面図である。
【図５】固定部材１１の左側面図である。
【図６】図３のVI-VI 拡大断面図である。
【図７】図３のVII-VII 拡大断面図である。
【図８】ブラケット７、ストッパ部材８、係止部材９の分解斜視図である。
【図９】可動部材と固定部材の組み付け時の拡大部分側面図である。
【図１０】可動部材と固定部材の組み付け時の拡大部分斜視図である。
【図１１】前扉の開閉時における図９のXI-XI 線拡大断面図である。
【図１２】前扉の開閉時における図９のXII-XII 線拡大断面図である。
【図１３】ゲーム機に取り付けた状態の左側面図である。
【図１４】他の実施例を示す可動部材と固定部材の組み付け時の拡大部分斜視図である。
【図１５】他の実施例を示す可動部材と固定部材の組み付け時の拡大部分側面図である。
【符号の説明】
１−可動部材
２−基枠体
３、４−軸受部材
３ａ，４ａ−軸受部
３ｂ，４ｂ−軸受孔
７−ブラケット
８−ストッパ部材
９−係止部材
１１−固定部材
１２−取付板部
１３、１４−軸保持部
１３ａ，１４ａ−巻付部
１３ｂ，１４ｂ−ピン
【図１】
0003663540.tif 000002
【図２】
0003663540.tif 000003
【図３】
0003663540.tif 000004
【図４】
0003663540.tif 000005
【図５】
0003663540.tif 000006
【図６】
0003663540.tif 000007
【図７】
0003663540.tif 000008
【図８】
0003663540.tif 000009
【図９】
0003663540.tif 000010
【図１０】
0003663540.tif 000011
【図１１】
0003663540.tif 000012
【図１２】
0003663540.tif 000013
【図１３】
0003663540.tif 000014
【図１４】
0003663540.tif 000015
【図１５】
0003663540.tif 000016